(57)【要約】      （修正有）【課題】比較的低コストに、動画像を手軽に楽しむことができる疑似動画像冊子に、人の視覚のみならず、嗅覚にも訴えることによって、より臨場的な効果が得られるようにした疑似動画像冊子を提供する。【解決手段】複数枚の頁を綴じた冊子において、複数枚の頁毎に、時系列に連続した静止画像を各々印刷し、複数枚の頁を順にめくることにより、前記静止画像が動画像として認識される。疑似動画像冊子の頁の材料自体に香料成分を包有させたり、印刷インクに香料成分を包有させたり、又は天然木を使用した突板積層シートを頁に使用する等によって、前記冊子の頁に香りが添加されていることを特徴とする。【選択図】図１
0003149159.tif 000002
【実用新案登録請求の範囲】
【請求項１】
複数枚の頁を綴じた冊子において、前記複数枚の頁毎に、時系列に連続した静止画像を各々印刷し、前記複数枚の頁を順にめくることにより、前記静止画像が動画像として認識され、且つ前記頁に香りが添加されていることを特徴とする冊子
【請求項２】
請求項１記載の冊子であって、前記頁に使用される材料に香料成分が含有されていることを特徴とする冊子
【請求項３】
請求項１記載の冊子であって、前記頁は香料成分を含有するインクにて印刷されていることを特徴とする冊子
【請求項４】
請求項１記載の冊子であって、前記頁は天然木の極薄突板と補強紙とを貼り合わせてなる突板積層シートであることを特徴とする冊子
【考案の詳細な説明】
【技術分野】
【０００１】
本考案は、静止画像が印刷された複数枚の頁を順にめくることによって、残像効果によって動画像として認識される冊子（以下、「疑似動画像冊子」という。）であって、且つ香りが添加されている冊子に関する。
【背景技術】
【０００２】
従来より、疑似動画像冊子は、所謂パラパラまんがとして広く知られており、娯楽用途などに用いられている。そして、このような冊子に関する技術が開示されている。
また、香りを添加した印刷物に関する技術が多数開示されている。
【特許文献１】実用新案登録第３１３１６９３号公報
【特許文献２】特開平６−２８６３５９号公報
【考案の開示】
【考案が解決しようとする課題】
【０００３】
現在において、動画像はテレビ、ビデオ、映画等以外にも、インターネットを通じて配信されるなど、種々の手段での観賞が可能である。また、家庭用ビデオカメラも広く普及し、個人レベルでの動画像の撮影も手軽にできるようになっている。そして、パーソナル・コンピュータの普及も相まって、動画像の編集も手軽に行える等、動画像は様々な利用がなされている。
【０００４】
動画像は、人の五感のうち、視覚に訴えるものであるが、上記の動画像再生機器にて動画像を観賞する場合、聴覚に訴える音声を添加することはできるものの、嗅覚に訴える香りを添加できる機器は現在開発されていない。
【０００５】
一方、疑似動画像冊子は、連続した静止画像を印刷した紙媒体によるメディアであるが、視覚の残像現象の原理を利用して、擬似的な動画像が得られるものである。上記機器と違い、人の指の力を利用するものであり、他の動力源を必要としない簡単な構造であるため、携帯時の形態を小さくでき、観賞する場所を選ばないという利点がある。
そして、印刷インクに香料を包含させたり、紙自体に香料を浸透させたりする技術が開示されており、冊子に香りを添加することは困難ではない。
【０００６】
疑似動画像冊子は、比較的低コストにて大量生産が可能であり、広告宣伝媒体としての利用も期待できる。視覚だけでなく、嗅覚にも訴えることによって、よりいっそう動画像を人に印象づけることができ、効果的な広告宣伝が可能となるものである。
【０００７】
そこで、本考案は静止画像が印刷された複数枚の頁を順にめくることによって、残像効果によって動画像として認識される冊子であって、且つ香りが添加されている冊子を提供することを目的とする。
【課題を解決するための手段】
【０００８】
請求項１記載の疑似動画像冊子は、複数枚の頁を綴じた冊子において、前記複数枚の頁毎に、時系列に連続した静止画像を各々印刷し、前記複数枚の頁を順にめくることにより、前記静止画像が動画像として認識され、且つ前記頁に香りが添加されていることを特徴とする。
【０００９】
請求項２記載の疑似動画像冊子は、請求項１記載の冊子であって、前記頁に使用される材料に香料成分が含有されていることを特徴とする。
【００１０】
請求項３記載の疑似動画像冊子は、請求項１記載の冊子であって、前記頁は香料成分を含有するインクにて印刷されていることを特徴とする。
【００１１】
請求項４記載の疑似動画像冊子は、請求項１記載の冊子であって、前記頁は天然木の極薄突板と補強紙とを貼り合わせてなる突板積層シートであることを特徴とする。
【考案の効果】
【００１２】
本考案によれば、視覚だけでなく、疑似動画像冊子に添加された香りにより、嗅覚にも訴えることによって、臨場的な擬似的動画像の観賞を可能とする等の優れた効果を得ることができる。
【考案を実施するための最良の形態】
【００１３】
以下、図面を参照しつつ、考案の実施の形態について説明する。なお、本実施の形態については、５０頁程度を左綴じにした、１５ｃｍ四方程度の寸法の冊子について説明する。
【００１４】
なお、本考案の実施の形態の説明としては、冊子の形状として四角形としているが、特に限定されるものでなく、任意の形状としても実施可能である。
また、その寸法については限定されるものではないが、手でめくるものであるため、手帳サイズからＡ４サイズ程度が望ましい。頁数については、複数頁であることを必要とするが、動画像として認識され、快適にめくるためには、５頁から３００頁程度の範囲であることが望ましい。
そして、各頁の素材は紙に限定されるものではなく、手でめくることができ、ある程度の柔軟性・耐久性を有するものであれば、樹脂、木の薄板等も使用可能である。
【００１５】
本考案の実施の形態に係る疑似動画像冊子について説明をする。図１は、疑似動画像冊子を閉じた状態にした斜視図である。前記複数枚の頁毎の各頁の左側一端が綴じ部材によって固定されている。本実施例においては、綴じ部材として接着剤を各頁に塗布し製本しているが、綴じ部材として、綴じ紐やステープル等を使用して固定することも可能である。また、本実施例においては、表紙・裏表紙を設けてはいないが、これらを設けてもよい。
【００１６】
次に、疑似動画像冊子の使用方法について説明をする。本実施例においては疑似動画像冊子は左綴じとなっているので、疑似動画像冊子の左端を左手で保持し、右端を右手で保持する。図２〜４に示すように、前記複数枚の頁毎に時系列に連続した静止画像を各々印刷されているため、図５〜７に示すように、任意の速度で前記複数枚の頁を順にめくることにより、残像効果によって、前記静止画像が動画像として認識される。
【００１７】
ここで、印刷される静止画像は、任意の動画像のフィルムやデータファイルから、切り出したフレーム画像を使用できるが、すべてのフレーム画像を使用しても、任意の時間毎に抽出したフレーム画像を使用することもできる。
さらに、一定の時間毎に、同一の撮影場所から同一の対象物を撮影した静止画像フィルムやデータファイルを使用することもできる。
なお、前記動画像及び前記静止画像は、実写されたものに限られず、アニメーション動画、スケッチ画、イラスト画等も使用可能である。
【００１８】
そして、疑似動画像冊子には、香りが添加されているため、前記複数枚の頁をめくる都度、前記香りが嗅覚を刺激することによって、残像効果により認識される動画像と香りが一体となって、臨場感豊かな観賞が可能となる。
画像と香りの効果的な組み合わせの一例として、温泉の風景を撮影した動画像から切り出したフレーム画像を各頁に印刷して、前記頁に硫黄の香りを添加したり、木造建築物が建築されていく様子を撮影した静止画像を時系列順に各頁に印刷して、前記頁に檜の香りを添加することが考えられる。
なお、前記頁に香りを添加するにあたって、すべての頁に添加する以外に、任意の一部の頁に添加することでもよい。
【００１９】
前記頁に香りを添加する手段として、前記頁の材料自体に香料成分を浸透させる方法がある。
前記頁が紙である場合、香料成分を粉末化したものを紙に漉き込む方法や、紙を液体香料に浸漬する方法などがある。
【００２０】
また、印刷インクに香料成分を包含させる方法もある。
香料成分を封入したマイクロカプセルを印刷インクに内包させたり、香料成分を溶解した印刷インクを使用する方法などがある。
【００２１】
さらに、前記頁に香りを添加する手段として、前記頁に、香りを発する天然木の角材を薄く剥いた極薄突板に補強紙を貼り合わせた突板積層シートを用いる方法がある。極薄突板を補強紙で補強することにより、頁をめくる際の曲げによる極薄突板の割れがおさえられ、長期間の使用に耐え得るものとなる。
なお、前記突板積載シートは、柔軟性を確保するために、２０μｍ程度の厚さであることが望ましい。
【図面の簡単な説明】
【００２２】
【図１】本考案の実施の形態に係る疑似動画像冊子の閉じた状態における斜視図である。
【図２】本考案の実施の形態に係る疑似動画像冊子の頁の一例を示す図である。
【図３】本考案の実施の形態に係る疑似動画像冊子の頁の一例を示す図である。
【図４】本考案の実施の形態に係る疑似動画像冊子の頁の一例を示す図である。
【図５】本考案の実施の形態に係る疑似動画像冊子の使用状態を示す図である。
【図６】本考案の実施の形態に係る疑似動画像冊子の使用状態を示す図である。
【図７】本考案の実施の形態に係る疑似動画像冊子の使用状態を示す図である。
【符号の説明】
【００２３】
１              頁
２              綴じ部
３              静止画像
【図１】
0003149159.tif 000003
【図２】
0003149159.tif 000004
【図３】
0003149159.tif 000005
【図４】
0003149159.tif 000006
【図５】
0003149159.tif 000007
【図６】
0003149159.tif 000008
【図７】
0003149159.tif 000009